(57)【特許請求の範囲】
【請求項１】
方形のデッキプレート部と、
前記デッキプレート部を建築物の躯体の梁に固定するための接続部材と、を有し、
前記接続部材は、板材を折り曲げた形状であり、少なくとも１つの水平部と、折り曲げられた部分である少なくとも１つの折曲部と、を有し、当該水平部において、前記デッキプレート部の短辺に略連続して固着しており、
前記水平部または折曲部に、ボルトを挿し通すための孔である複数のボルト貫通孔が穿たれており、
前記複数のボルト貫通孔は、前記建築物の設計モデュール寸法に基づいて前記梁に対して等間隔で穿たれた複数の梁孔に一致して穿たれていることを特徴とするデッキプレートパネル。
【請求項２】
前記接続部材は、
前記デッキプレート部の長辺に固着していることを特徴とする請求項１に記載のデッキプレートパネル。
【請求項３】
前記デッキプレートパネルのサイズが、建築物の設計に用いる基準寸法であるモデュールに基づいたサイズであることを特徴とする請求項１または２に記載のデッキプレートパネル。
【請求項４】
前記デッキプレート部は、短辺側において凸凹形状の山の部分の端部でつぶされ、側面視で閉じたエンクローズ部を有しており、
前記エンクローズ部は、前記デッキプレート部の上面側から下面端部側へ斜め下方に形成されており、
前記接続部材の折曲部には前記複数のボルト貫通孔が形成されていることを特徴とする請求項１〜３のいずれか一項に記載のデッキプレートパネル。
【請求項５】
請求項１〜４のいずれか一項に記載のデッキプレートパネルを用いた床構造であって、
前記ボルト貫通孔が穿たれた水平部または折曲部が前記梁に固着され、前記ボルト貫通孔と前記梁に穿たれた孔とにボルトを挿し通し、当該ボルトとナットによる締結により、前記デッキプレートパネルと前記梁とが固定されていることを特徴とする床構造。
【請求項６】
方形のデッキプレート部と、
前記デッキプレート部を建築物の躯体の梁に固定するための接続部材と、を有し、
前記接続部材は、板材を折り曲げた形状であり、少なくとも１つの水平部と、折り曲げられた部分である少なくとも１つの折曲部と、を有し、
前記水平部または折曲部に、ボルトを挿し通すための孔である複数のボルト貫通孔が穿たれたデッキプレートパネルを用いた床構造であって、
前記梁は、上下２つのフランジをウェブで結ぶ形状をしており、
前記接続部材は、前記フランジまたは前記ウェブに対して固定されており、
前記デッキプレート部の下面は、前記梁の上フランジの上面より低いことを特徴とする床構造。
【請求項７】
前記接続部材は、前記デッキプレート部の外周の辺すべてに固着されており、
４本の前記梁で囲まれた領域に一枚の前記デッキプレートパネルを配置して、
各々の前記接続部材を周囲の前記梁に固定することで当該領域における床を構成することを特徴とする請求項６に記載の床構造。
【請求項８】
前記梁で囲まれた領域に複数の前記デッキプレートパネルを配置することで当該領域における床を構成することを特徴とする請求項６に記載の床構造。
【発明の詳細な説明】
【技術分野】
【０００１】
本発明は、鉄骨造の床やコンクリートスラブの型枠などに用いるプレハブ化したデッキプレートパネルに関する。
【背景技術】
【０００２】
従来より、鉄筋コンクリート造や鉄骨造の床等にコンクリートスラブを設ける際、コンクリート施工前の仮設床、及びコンクリート打設時の捨て型枠としてデッキプレートが用いられている。デッキプレートの１枚１枚は、平面視、板面状であり、梁行き方向の梁に支持される辺（短辺）の長さ（幅ｗ）は、通常３００〜６００ｍｍ、梁間（スパン）方向の梁と平行な辺（長辺）の長さ（長さｌ）は、通常１〜６ｍの規格が流通している。
【０００３】
デッキプレートは、一般に、鉛直荷重を受け持つ能力を向上させるために、短辺方向の切断面を凸凹（波形）状にして補強したもの、片側がフラット面で他方の側にリブを形成したものがあるが、軽量の薄い鋼板である。デッキプレートは、短辺（幅ｗ）は凸凹の断面になっているので長辺（長さｌ）方向の曲げ等による変形を抑えられる。このため、仮設床として使用する際、コンクリート打設の際に支持すべき自重や積載荷重を支えるための支保工の設置を省略することができる。また、捨て型枠として鉄筋コンクリートスラブの一部として残り、スラブ自身の構造強度の向上にも寄与する。
【０００４】
デッキプレートは、１枚ずつ直接に梁のフランジ等に載せた後に溶接等で固定される。このとき隣接するデッキプレート同士の長辺は、互いに嵌合させて一体的な板面を形成する。ここで、デッキプレートは、軽量化するために板の厚さが１ｍｍ〜２ｍｍとかなり薄いので、ボルトとナットによる締結によってデッキプレートを梁に固定すると、デッキプレートの端部においてせん断破壊が生じる恐れがある。このため、デッキプレートを梁に固定する方法は、鉄筋コンクリート造では現場で梁の型枠に釘打ち等で行われており、鉄骨造では、溶接により固定される。つまり、従来、鉄骨梁に対するデッキプレートの固定には、建築現場での溶接作業が必要であった。
【０００５】
ところで、部品をプレファブリケーション化した工業化住宅にデッキプレートを使用して床スラブを構成する場合、建築現場の作業を簡単にする観点から複数のデッキプレートの長辺同士を予め工場等で複数嵌合して一体的な板面状に形成した複合体デッキプレートを建築現場に運搬、搬入することが考えられる。このようにデッキプレートを複数連結した複合体デッキプレートは、１枚１枚のデッキプレートの長辺同士を嵌め合わせた継目部を軸に回動するのでデッキプレート面全体に撓みによる変形が起こりやすく、複合体デッキプレートの短辺方向の長さ（幅Ｗ）を制限する必要があった。すなわち、従来のデッキプレートを用いて予め工場等で複合体デッキプレートとした場合でも複合体の幅Ｗを任意に設定することができないので、工業化住宅の梁架構のグリッド（梁で囲まれた領域）の様々な大きさに応じた複合体デッキプレートのサイズ（幅Ｗ×長さＬ）のバリエーションを設定することができなかった。
【０００６】
また、デッキプレートを用いて複合体デッキプレートとするに当たり、品質を確保する観点から建築現場の溶接作業をできる限り避けたい。なぜなら、建築現場での溶接作業は、作業を行う職人の能力に頼るところが大きく、デッキプレートをそのまま鉄骨梁に現場作業で溶接すると梁の母材の強度低下を招く恐れがある等できあがりの品質にばらつきが生じてしまうからである。
【０００７】
この点、例えば、特許文献１には、梁材１０、１０の接続箇所においてＨ型鋼の梁１０のフランジ、及びデッキプレート１４を受けるためのデッキ受け１２それぞれに孔が設けられ、梁材１０、１０同士を連結する接続板１６、１８を介してボルト２０を互いの孔に挿通してナットで共締めすることによりデッキ受け１２を梁１０に確実に固定し、梁１０から延出するデッキ受け１２の先端部１２ａにデッキプレート１４を載置して固定する梁構造が開示されている。なお、デッキ受け１２は梁材１０の全長に設けずに、梁材１０、１０同士の接続箇所においてのみデッキ受け１２を介在させてデッキプレート１４を固定するものである。
【先行技術文献】
【特許文献】
【０００８】
【特許文献１】特開平１０−２８０６０１号公報
【０００９】
しかしながら、特許文献１で開示された方法では、デッキプレート１４とデッキ受け１２の固定に関しては、溶接やボルト締めで行う等任意な方法で行うものであり、いまだ建築現場作業負担が大きいものと考えられる。
【発明の概要】
【発明が解決しようとする課題】
【００１０】
そこで本発明は、上記問題点に鑑みてなされたもので、工業化住宅等の規格化されて設計された梁架構のグリッドの大きさに応じたバリエーションに対応し、任意の寸法で規格化し製作したとしても、建築現場への運搬時、現場搬入時、躯体の梁への設置時または設置後において変形が生じにくいプレハブ化したデッキプレートパネル及びそれを用いた床構造を提供することを目的とする。また、現場作業の負担が少なく簡易に梁に固定することができる、デッキプレートパネル及びそれを用いた床構造を提供することを目的とする。
【００１１】
なお、従来の１枚のデッキプレート（単体）、複数のデッキプレートをつなげたデッキプレート（複合体）とは異なり、縦と横のどちらの方向に対しても任意の寸法で規格化して製作し、建物の架構体に簡便に設置することが可能なプレハブ化したデッキプレートを、上記のように、「デッキプレートパネル」と呼ぶことにする。
【課題を解決するための手段】
【００１２】
上記課題を解決するため、本発明におけるデッキプレートパネルは、方形のデッキプレート部と、デッキプレート部を建築物の躯体の梁に固定するための接続部材と、を有し、前記接続部材は、板材を折り曲げた形状であり、少なくとも１つの水平部と、折り曲げられた部分である少なくとも１つの折曲部と、を有し、当該水平部において、前記デッキプレート部の短辺に略連続して固着しており、前記水平部または折曲部に、ボルトを挿し通すための孔である複数のボルト貫通孔が穿たれており、前記複数のボルト貫通孔は、前記建築物の設計モデュール寸法に基づいて前記梁に対して等間隔で穿たれた複数の梁孔に一致して穿たれていることを特徴とする。ここで、デッキプレート部は、一枚のデッキプレートを使用する単体デッキプレート又はデッキプレートを複数連結して一体化した複合体デッキプレートで構成する。
【００１３】
ここで、接続部材の固着とは、デッキプレートの外周辺に接続部材を予め工場等において溶接等で一体化しておくことであるが、これに限らず、複数のビスやリベットを用いるなどの形態も考えられる。また、略連続して固着するとは、接続部材をデッキプレート部の一辺に沿って辺全体に設ける場合に限らず、辺全体のうち要部にのみ設ける場合を含んでいる。ここで、要部とは、デッキプレートの面内変形を抑制するのに効果的な部分をさす。例えば、接続部材は、デッキプレート部の外周短辺のうち、曲げ応力の負担が大きな短辺中央部に連続して固着し、デッキプレート部の短辺隅部は、省略することも含まれる。この場合接続部材の設置範囲は、曲げモーメントの値に応じて適宜決定すればよい。また、複合体デッキプレートの隣接するデッキプレートの継ぎ目を繋ぐように短尺の接続部材を連続して固着することでもよい。
【００１４】
上記構成によれば、デッキプレート部の短辺側の接続部材を梁に固定することで、接続部材がパネル面内変形の補強材として働き、デッキプレート部の短辺側に生じる曲げ応力に対する剛性を上げ、デッキプレート部の短辺側の曲げ応力によるたわみを防ぎ、デッキプレートパネル全体の面剛性を向上させることができる。また、デッキプレート部の短辺方向が補強されるので、デッキプレートパネルのサイズ（短辺（幅Ｗ）と、長辺（長さＬ）との組合せをいう。）を任意に設定することができる。また、デッキプレートそのものの建築現場への運搬時、現場搬入時、躯体の梁への設置時または設置後における変形を防ぐことが可能になり、現場の作業負担を軽減できる。
【００１５】
また、要部のみに接続部材を固着した場合は、固着される接続部材の量が減るため、デッキプレートパネルの軽量化を図りつつ、デッキプレートパネルを任意の寸法に設定することが可能になる。
【００１９】
また、本発明におけるデッキプレートパネルの接続部材は、断面視、水平な板材を折り曲げた形状であり、少なくとも１つの水平部と、折り曲げられた部分である少なくとも１つの折曲部と、を有し、当該水平面部において、デッキプレート部に固着しているようにしても良い。例えば、接続部材は、その断面形状が、Ｌ型、Ｚ型、またはT型等に加工されているものである。また接続部材は、パネル辺に沿って略連続する長尺物を用いるのが好ましい。
【００２０】
このように、接続部材を折れ曲がった形状の部分を設けることにより、接続部材自身の曲げなどによる変形に対する強度が大きくなる。また、この接続部材をデッキプレートパネルのデッキプレート部の外周辺に略連続的に固着させることにより、デッキプレートパネル全体の面内強度がより高まって、運搬時、現場搬入時または設置時において変形する可能性がより小さくなる。
【００２１】
また、本発明におけるデッキプレートパネルは、前記接続部材の水平部または折曲部に、ボルトを挿し通すための孔であるボルト貫通孔を穿つようにしても良い。
例えば、接続部材の水平部に、梁に設けられた孔を貫通させたボルトを挿し通すための孔であるボルト貫通孔を設け、デッキプレート部と接続部材の水平部とを貫くように穿たれるようにする。このボルト貫通孔は、建物躯体である軸組梁の梁孔（設計モデュール寸法に基づいて等間隔で穿たれている）に一致させて穿たれている。
このようにした場合は、接続部材と梁とをボルトとナットにより締結するのみでデッキプレートパネルが梁に固定される。よって、現場作業の負担が少なく、簡易にデッキプレートパネルを梁に固定することができる。
【００２２】
例えば、接続部材の折曲部を垂直に形成してボルトを挿し通すボルト貫通孔が穿ち、梁を跨いで隣接するデッキプレートパネルの垂直面部同士をボルト・ナットで締結して連結しても良い。このようにすることで、デッキプレートパネルが一体化して確実に固定された床構造を得ることが可能になる。
【００２３】
例えば、接続部材が、断面視、第１の水平部、垂直部、及び第２の水平部の３つの面を有し、垂直部は、第１の水平部と第２の水平部と接続しており、第１の水平部は、デッキプレート部に固着するようにしても良い。このようにすることにより、梁に対してデッキプレート部に所定の段差を設けることができる。すなわち、接続部材の第２の水平部を梁の上フランジ面に重ねて固定すると、デッキプレート部は、同接続部材の垂直部の長さに相当する段差をもって、第１の水平部に固着される。これにより、躯体の階高（柱長さ、上下の層間の高さ）を変更することなく、コンクリートスラブの厚さを厚くして強度を上げる等の設計変更が可能になり、設計自由度が増す。また、本発明におけるデッキプレートパネルは、接続部材が、前記デッキプレート部の長辺に固着しているようにしても良い。このようにすることで、デッキプレート部の長辺側の接続部材を梁に固定することが可能になり、デッキプレート部の短辺側に生じる曲げ応力に対する剛性のみならず、地震時などにコンクリートスラブ内に生じるせん断応力に対する剛性をも上げることが可能になる。ここで、長辺に固着しているとは、デッキプレート部の辺全体に連続して長尺の接続部材を設ける場合だけでなく、短尺の接続部材を連続して固着することでもよいし、短尺の接続部材をデッキプレート部の長辺の両端や中央にのみ適宜設ける形態でもよい。また、本発明におけるデッキプレートパネルは、サイズ（幅Ｗ、長さＬの組合せ）が、建築物の設計に用いる基準寸法である設計モデュール寸法に基づいたサイズであるようにしても良い。このようにすることで、工業化住宅の設計モデュール寸法を使って複数の部品として規格化し、個別の工業化住宅（邸）として設計された躯体の架構に応じて邸別に必要な大きさのデッキプレートパネルのサイズと数量を拾い出して製造して現場に運搬し、取り付け施工を行うことが可能になる。ここで、設計モデュール寸法に基づいたサイズとは、単位寸法の整数倍または、整数分の一を含むものである。また、本発明におけるデッキプレートパネルは、前記デッキプレート部は、短辺側において凸凹形状の山の部分の端部でつぶされ、側面視で閉じたエンクローズ部を有しており、前記エンクローズ部は、前記デッキプレート部の上面側から下面端部側へ斜め下方に形成されており、前記接続部材の折曲部には前記複数のボルト貫通孔が形成されていることを特徴とする。
【００２４】
次に、本発明における床構造は、上記の本発明におけるデッキプレートパネルを用いた床構造であって、ボルト貫通孔が穿たれた水平部または折曲部が梁に固着され、ボルト貫通孔と梁に穿たれた梁孔とにボルトを挿し通し、当該ボルトとナットによる締結により、デッキプレートパネルと梁とが固定されていることを特徴とする。このため、本発明における床構造であれば、デッキプレートパネルを、せん断破壊することなく、ボルトとナットによる締結により梁に固定することが可能である。
【００２５】
また、本発明における床構造は、方形のデッキプレート部と、前記デッキプレート部を建築物の躯体の梁に固定するための接続部材と、を有し、前記接続部材は、板材を折り曲げた形状であり、少なくとも１つの水平部と、折り曲げられた部分である少なくとも１つの折曲部と、を有し、前記水平部または折曲部に、ボルトを挿し通すための孔である複数のボルト貫通孔が穿たれたデッキプレートパネルを用いた床構造であって、前記梁は、上下２つのフランジをウェブで結ぶ形状をしており、前記接続部材は、前記フランジまたは前記ウェブに対して固定されており、前記デッキプレート部の下面は、前記梁の上フランジの上面より低いことを特徴とする。
【００２６】
また、本発明における床構造は、前記接続部材は、前記デッキプレート部の外周の辺すべてに固着されており、４本の前記梁で囲まれた領域に一枚の前記デッキプレートパネルを配置して、各々の前記接続部材を周囲の前記梁に固定することで当該領域における床を構成するようにしても良い。このようにすることで、梁に囲まれた領域に複数のデッキプレートパネルを並べ、接続する作業などが必要なくなり、建築現場での工程数を減らすことが可能になる。また、本発明における床構造は、梁で囲まれた領域に複数のデッキプレートパネルを配置することで領域における床を構成するようにしても良い。このようにすることで、一定の大きさ以上のデッキプレートパネルを搬入できないような都市部等の狭隘な敷地が建築現場であっても、本発明におけるデッキプレートパネルにより床構造を形成することが可能になる。
【発明の効果】
【００２７】
本発明により、せん断破壊することなく、ボルトとナットによる締結により、梁に固定することができ、かつ、任意の寸法で製作したとしても、運搬時、現場搬入時、設置時または設置後において変形が生じにくいデッキプレートパネル及びそれを用いた床構造を提供することが可能になる。
【図面の簡単な説明】
【００２８】
【図１】本発明の第１の実施形態に係るデッキプレートパネル１００の斜視図であり、デッキプレート部１１０を単体デッキプレート１１０Ｓで構成したものある。
【図２】本発明の第１の実施形態に係るデッキプレートパネル１００を配置する前の建物の軸組構造の柱梁架構を説明する平面図である。
【図３】本発明の第１の実施形態に係るデッキプレートパネル１００を図２の柱梁架構に敷設した床構造の平面図である。
【図４】図３のＡで示した部分の拡大平面図である。
【図５】図４のＸ−Ｘの断面を示す断面図であり、本発明の第１の実施形態に係るデッキプレートパネル１００の梁２００（上フランジ２０２）への固定部分の断面を示す断面図である。
【図６】本発明の第１の実施形態に係るデッキプレート部１１０を複合体デッキプレートＭで構成した斜視図である。
【図７】本発明の第１の実施形態に係るデッキプレート部１１０の複合体デッキプレート１１０Ｍの嵌合部１１５における断面図である。
【図８】本発明の第１の実施形態に係るデッキプレートパネル１００の梁２００（下フランジ２０３）への固定部分の断面を示す断面図である。
【図９】図１のＢで示した部分の拡大平面図である。
【図１０】本発明の第２の実施形態に係るデッキプレートパネル１００の梁２００（上フランジ２０２）への固定部分の断面を示す断面図である。
【図１１】本発明の第３の実施形態に係るデッキプレートパネル１００の梁２００（上フランジ２０２）への固定部分の断面を示す断面図である。
【図１２】本発明の第４の実施形態に係るデッキプレートパネル１００の梁２００（ウェブ２０４）への固定部分の断面を示す断面図である。
【発明を実施するための形態】
【００２９】
次に、本発明を実施するための形態について図面を参照して詳細に説明する。
【００３０】
（第１の実施形態）
図１は、本発明の第１の実施形態に係るデッキプレートパネル１００の斜視図である。図２は、鉄骨軸組ラーメン構造の建物における柱梁架構の一例を示す図である。本実施形態に係るデッキプレートパネルは、図２に示すような軸組の柱梁架構において、梁２００が囲む領域に配置され、床構造を形成する。図３は、図２に示した軸組に、本実施形態に係るデッキプレートパネル１００を配置することで形成される床構造の平面図である。図４は、図３のＡで示した部分の拡大平面図である。また、図５は、図４のＸ−Ｘの断面を示す断面図である。
【００３１】
本実施形態に係るデッキプレートパネル１００は、図１に示すように、方形のデッキプレート部１１０と、梁２００に固定するための接続部材１２０と、を有している。接続部材１２０は、デッキプレート部１１０の短辺に配置されており、デッキプレート部１１０と接続部材１２０とは、この短辺において固着している。固着する方法としては、デッキプレート部１１０を構成するデッキプレート１１０ａの材料をせん断破壊させないような方法を用いる。例えば、工場等でデッキプレート部１１０と接続部材１２０とを、溶接により固着するようにすると良い。
【００３２】
デッキプレート部１１０は、例えば、図１に示すように、鉄骨造の躯体の所定の階層における梁で囲まれた領域の大きさに応じて、短辺と長辺の長さが決定される。
【００３３】
また、デッキプレート部１１０は、グリッドの梁行側の梁に設置する短辺（デッキプレートパネルの幅Ｗ）方向に切断した断面形状が凸凹である。このようにデッキプレート部１１０の断面を凸凹形状にすることで、デッキプレート部１１０の辺のうち、長辺（デッキプレートパネルの長さＬ）に対しては、曲げによる変形を抑えることが可能になるので、より薄い鋼材で製作してもデッキプレート部１１０の面内強度を向上させることができ、軽量化することが可能になる。
【００３４】
また、デッキプレート部１１０の凸凹形状は、例えば、山の部分１１１と谷の部分１１２とを有する波形とし、隣接する山の部分１１１を接触させて谷の部分１１２を下方のリブを突出させた加工をし、その上面をフラットに構成することができる。なお、デッキプレート部１１０が、波形状であるとき、谷の部分１１２の下面において、接続部材１２０を固着するようにすると良い。
【００３５】
デッキプレート部１１０は、一枚の鋼板製のデッキプレート１１０ａにより構成するようにしても良い（デッキプレート単体で構成するデッキプレート部１１０を「単体デッキプレート１１０Ｓ」と呼ぶ。）が、図６に示すように、複数の公知のデッキプレート１１０ａを接続して一体的にした複合体として構成しても良い（デッキプレート複数で構成するデッキプレート部１１０を「複合体デッキプレート１１０Ｍ」と呼ぶ。）。デッキプレート１１０ａは、幅ｗ、長さｌの寸法が規格化された市販のデッキプレートを使用することができる。なお、市販のデッキプレートとして、例えば、幅ｗが３００〜６００ｍｍ程度、長さｌが１０００〜６０００ｍｍのものがあり、これらを選択して使用すると良い。市販のデッキプレートは、２つのデッキプレート１１０ａを接続するために、例えば、図７に示すような嵌合部１１５を有している。そこで、複数の市販のデッキプレートを、図６に示すように、この嵌合部１１５を用いて接続することで複合体デッキプレート１１０Ｍとし、デッキプレートパネル１００のデッキプレート部１１０を形成するようにすると良い。また、デッキプレートパネル１００の寸法を、配置する領域の寸法に合わせるために、図６に示すように、調整用デッキプレート１１０ｂを用いるようにしても良い。
【００３６】
また、デッキプレート部１１０を形成するデッキプレート１１０ａは、図１、５に示すように、凸凹（波）形状の山の部分１１１が短辺の端部でつぶされ、側面視、閉じたエンドクローズド部１１３を有するエンドクローズド型デッキプレートを用いると良い。デッキプレート部１１０にエンクローズド部１１３を設けることで、上部に硬化前の流動するコンクリートを流し込んだときに、コンクリートが、凸凹（波）形状の端部の部分に入り込み、下階に落下することを防ぐことが可能になる。
【００３７】
接続部材１２０は、図５に示すように、断面視、折り曲げられた形状をしており、水平部１２１と垂直部１２２との２つの片を有するＬ型形状である。デッキプレート部１１０は、この水平部１２１に固着されている。垂直部１２２は、デッキプレート部１１０の端部を廻りこんで上方に立ち上がっている。以下、この形状の接続部材１２０を、Ｌ型接続部材１２０と呼ぶことにする。
【００３８】
図５に示すように、デッキプレートパネル１００を梁２００に固定するために、デッキプレート部１１０には、ボルトを挿し通す孔であるボルト貫通孔１１４が穿たれており、接続部材１２０の水平部１２１にも、ボルトを挿し通すための孔であるボルト貫通孔１２３が穿たれている。つまり、デッキプレートパネル１００には、図５に示すように、デッキプレート部１１０の端部と、接続部材１２０とが固着する部分である水平部１２１とを貫くように、ボルト貫通孔が形成されている。
【００３９】
凸凹形状のデッキプレートを使用する際は、ボルト貫通孔１１４は、谷の部分１１２に穿つと良い。また、山の部分１１１に穿つ場合には、ボルト貫通孔１１４を穿つ位置において、山の部分１１１をつぶすようにすると良い。例えば、デッキプレート部１１０としてエンクローズド型デッキプレート１１０ａを使用する際は、図５の点線に示すように、山の部分１１１がつぶれているので、山の部分１１１にボルト貫通孔１１４を穿つことが可能である。
【００４０】
ここで、躯体の梁２００には、図２に示すように、等間隔で複数の梁孔２０１が穿たれている。例えば、梁２００としては、図５に示すような上下の２つのフランジ２０２、２０３をウェブ２０４で結ぶ形状をしたＨ形鋼が使用され、フランジ２０２に梁孔２０１を穿たれている。
【００４１】
通常、建築物の設計には、基準寸法（モデュール）が用いられるが、梁孔２０１は、梁２００に柱等を接合するために使用されるものであり、工業化住宅に採用されている設計モデュール寸法を単位として、基準点から等間隔で設けられている。例えば、図３、図４に示すように、基準点（中点Ｐ）を跨いで一対の梁孔２０１が所定の間隔Ｉで設けられている。
【００４２】
そこで、梁孔２０１に対応させるべく、デッキプレート部１１０のボルト貫通孔１１４、接続部材１２０のボルト貫通孔１２３にも、躯体の梁２００と同様に工業化住宅に採用されている設計モデュール寸法を単位として、基準点から等間隔で設ける。このとき、デッキプレート部１１０についても梁孔２０１と同様に基準点（中点Ｐ）を跨いで一対のボルト貫通孔１１４が所定の間隔Ｉで設けられる。すなわち、梁孔２０１と、デッキプレート部１１０のボルト貫通孔１１４及び接続部材１２０のボルト貫通孔１２３は、共通の設計モデュール寸法を使用して等間隔に穿たれている。設計モデュール寸法を単位とする基準寸法は、例えば、３０５ｍｍを最小値とし、その整数倍に設定されている。
【００４３】
デッキプレートパネル１００を梁２００に固定する際は、薄鋼板のデッキプレート（例えば、板厚１ｍｍ〜２ｍｍ）で形成されたデッキプレート部１１０の端部を梁に直接、ボルト・ナットで締結して固定することはせずに、予め工場等でデッキプレート部１１０の端部に沿って溶接した長尺で板厚の大きい接続部材１２０（例えば、板厚３．２ｍｍ）を介して、ボルト・ナットで締結している。例えば、図５に示すように、デッキプレート部１１０と接続部材１２０とが固着された部分である水平部１２１が梁２００の上部に来るように、デッキプレートパネル１００を梁２００のフランジ２０２の上面に置き、梁孔２０１に接続部材のボルト貫通孔１２３の位置を合せる。次にボルト３００をデッキプレートパネル１００の上側から梁２００のフランジ２０２の下側に向けてボルト３００に挿し通し、ナット４００で締めつける。
【００４４】
接続部材１２０の板厚は、ボルトとナットの締結によってせん断されない程度の厚さにする。このようにすることで、デッキプレート部１１０がせん断破壊されることはなくなる。また、現場溶接により梁２００にダメージを与えることを防ぐことも可能になる。
【００４５】
また、図８に示すように、デッキプレートパネル１００の水平部１２１を、梁２００の下のフランジ２０３の上部に配置し、デッキプレートパネル１００を、この下のフランジ２０３にボルトとナットにより締結して固定するようにしても良い。なお、図８において、建物内部の梁２００である場合は、梁２００のウェブ２０４を中心にして左側に設置される接続部材１２０が必要であるが、その場合の図表現は省略している（以下、図１０、図１１も同じ。）。また、図８において、実線は、端部がつぶされたエンクローズ型のデッキプレート１１０ａを示しており、二点鎖線は、端部がつぶされていない通常のデッキプレート１１０ａを示している（以下、図１０、図１１、図１２において同じ。）。
【００４６】
なお、梁２００としては、断面形状が、上述したＨ型のみでなく、Ｃチャネル型、ボックス型なども使用されている。梁２００としてＣチャネル型、ボックス型などを使用する際も、上記と同様に、梁２００に梁孔を設け、接続部材１１０の水平部１１０若しくは垂直部１２０にボルト貫通孔を穿ち、この梁孔とボルト貫通孔を貫くようにボルトを挿し通し、ナットで締め付けるようにし、梁２００にデッキプレートパネル１００を固定するようにすると良い。
【００４７】
また、上記とは異なる実施形態として、接続部材１２０の水平部１２１にデッキプレート部１１０が固着されていない部分として第２の水平部が存在するようにし、この第２の水平部にボルト貫通孔を穿つようにしても良い。つまり、接続部材１２０にのみボルト貫通孔１２３を穿つようにしても良い。このようにした場合は、デッキプレート部１１０に貫通孔を穿つ必要はなくなり、デッキプレートパネル１００の製作工程を単純化できる。
【００４８】
（接続部材１２０による補強効果）
上述したように、従来のデッキプレートは、薄い鋼板であるため、変形しやすい。一方、本実施形態に係るデッキプレートパネル１００は、接続部材１２０が固着されているデッキプレート部１１０の短辺の少なくとも一辺において、接続部材１２０がその辺全体に略連続して固着されているので、この接続部材１２０が補強材として働き、デッキプレート部１１０の厚さが通常のデッキプレートと同様の薄板であったとしても、本実施形態に係るデッキプレートパネル１１０は、曲げによるデッキプレート部１１０の面内変形を抑制し、より大きな強度を有するようになる。よって、本実施形態に係るデッキプレートパネルであれば、幅Ｗ、長さＬのどちらの方向の寸法も長くすることが可能になり、任意の大きさのパネルを製作可能である。このため、本実施形態に係るデッキプレートパネル１００であれば、サイズを梁に囲まれた領域のサイズに合わせたとしても、運搬時、現場搬入時、設置時または設置後におけるデッキプレートパネルの面内の変形を抑制し、その形状を保持させることができる。
【００４９】
また、本実施形態に係るデッキプレートパネル１００の接続部材１２０は、上述したように、デッキプレート部１１０の一辺の一端から他端全体にわたる長尺な鋼材であり、断面視Ｌ型形状、板厚はデッキプレート部１１０より厚いものとしているため、接続部材自身が曲げなどによる変形に対する強度が大きい。したがって、このような接続部材１２０を設けたデッキプレートパネル１００は、運搬時、現場搬入時、設置時または設置後において変形する可能性がより低減される。
【００５０】
なお、上記において、接続部材１２０がその辺全体に略連続して固着されているとは、接続部材１２０を、デッキプレート部１１０の一辺の一端から他端全体にわたって設けられている場合に加え、デッキプレート部１１０のうち、梁２００と接続する要部にのみ設けられている場合も含んでいる。ここで、要部とは、面内変形を抑制するに効果的な部分をさす。このようにした場合は、固着される接続部材１２０の量が減るため、デッキプレートパネル１００のより軽量化を図りつつ、デッキプレート部１１０のせん断破壊を防ぐことが可能になる。例えば、接続部材１２０は、デッキプレート部１１０の外周短辺のうち、曲げ応力の負担が大きな短辺中央部に連続して固着され、デッキプレート部１１０の短辺隅部は省略される形態でもよい。この場合は、接続部材の設置範囲は、曲げモーメントの値に応じて適宜決定すればよい。また、図６の接続部材１２０（二点鎖線で表示）のようにデッキプレート部１１０を構成する複合体デッキプレート１１０Mの隣接するデッキプレート１１０ａと、１１０ａまたは１１０ｂとの継ぎ目を繋ぐように短尺の接続部材１２０を連続して固着することでもよい。接続部材１２０には、ボルト貫通孔１２３が穿たれており、このボルト貫通孔１２３は、建物躯体である軸組梁の梁孔２０１（設計モデュール寸法に基づいて等間隔で穿たれている）に一致させている。
【００５１】
また、デッキプレートパネル１００は、接続部材１２０が、デッキプレート部１１０の長辺に略連続して固着しているようにして、外周の辺すべてに略連続して固着しているようにしても良い。このようにすることで、曲げ応力に対する剛性を上げるだけでなく、せん断応力に対する剛性も上げることが可能になる。
【００５２】
さらに、長辺に固着する形態としては、デッキプレート部１１０の辺全体に連続して長尺の接続部材を設ける場合だけでなく、短尺の接続部材１２０を連続して固着することでもよいし、短尺の接続部材１２０をデッキプレート部１１０の長辺の両端や中央にのみ適宜設ける形態でもよい。また、接続部材１２０には、ボルト貫通孔１２３が穿たれており、このボルト貫通孔１２３は、建物躯体である軸組梁の梁孔２０１に一致させている。
【００５３】
また、デッキプレート部１１０の外周辺すべてに接続部材１２０を固着するとデッキプレート部１１０の単体デッキプレート１１０Ｓまたは複合体デッキプレート１１０Ｍの面内変形防止、強度の点でより好ましく、躯体の梁で構成される領域ごとにしっかりと固定することができる。また、梁２００（フランジ２０２の上面）とデッキプレートパネル１００のデッキプレート部１１０の隙間が接続部材１２０により目止めされて面着されるのでスラブコンクリートを流し込んだときの下階への落下を防止できる。
【００５４】
（隣接する２つのデッキプレートパネル１００の間での接続）
接続部材１２０の垂直部１２２にも、図５に示すように、ボルト貫通孔１２４を穿つようにしても良い。このボルト貫通孔１２４を用いると、図５に示すように、梁を跨いで隣接する２つのデッキプレートパネル１００同士を、ボルト３１０とナット４１０により締結して固定することが可能になる。つまり、この隣接する２つのデッキプレートパネル１００の接続部材１２０に穿たれた垂直部のボルト貫通孔１２４の両方を貫くようにボルト３１０を挿し通し、このボルト３１０とナット４１０により締結することで、当該隣接する２つのデッキプレートパネル１００を接続することが可能になる。これにより、デッキプレートパネル１００がより確実に固定されている床構造を得ることが可能になる。
【００５５】
なお、垂直部１２２のボルト貫通孔１２４を穿つ間隔は、上記梁孔の所定の間隔Ｉと同じ間隔でも良いし、１つ飛ばしにするなど所定の間隔Ｉの倍数にする等と異なる間隔にしても良いが、梁に対する所定の設置位置が確保されるように孔同士が一致するようにする。また、垂直部１２２に穿たれるボルト貫通孔１２４は、水平部１２１に穿たれるボルト貫通孔１２３と同様に、固定度を上げるために２つのボルト貫通孔を一対としているが、これに限られるものではない。
【００５６】
また、図５に示すように、隣接する２つのデッキプレートパネル１００を接続する際、この２つのデッキプレートパネル１００の垂直部１２２の間に、接続板５００を挿入し、ボルト３００を、この接続板５００にも挿し通し、この接続板５００を介して、隣接する２つのデッキプレートパネル１００を接続するようにしても良い。このようにすることで、ボルトとナットによる締結によって、接続部材１２０が変形することを防ぐことができるようになる。
【００５７】
（デッキプレートパネル１００を用いた床構造）
本発明に係るデッキプレートパネル１００を適用する鉄骨軸組ラーメン構造の建物に適用する場合について説明する。鉄骨軸組ラーメン構造の建物は、図２に示すように、柱６００に対して梁２００を剛に接合することで、軸組を構成する。４本の柱６００により囲まれた部分は、通常、グリッドと呼ばれる。グリッドの内側にも、図２に示すように、複数の梁２００が架けられ、グリッドは、細分化される。この細分化された部分、つまり、４本の梁２００により囲まれた部分の１つ１つのことを、以下では、小グリッドと呼ぶことにする。
【００５８】
本発明の一実施形態に係る床構造では、図３に示すように、この小グリッドに１つのデッキプレートパネル１００が配置される。上述したように、本実施形態に係るデッキプレートパネル１００は、接続部材１２０により補強されているため、小グリッドの大きさに合わせた大きさにしたとしても、運搬時、現場搬入時、設置時または設置後に変形することがない。よって、通常のデッキプレートと異なり、本実施形態に係るデッキプレートパネル１００であれば、図１に示すように、小グリッドごとに１つのデッキプレートパネル１００だけを配置することが可能になる。よって、小グリッドに配置する際に、通常のデッキプレートを使用する際に必要なデッキプレートを建築現場で何枚も接続するといった作業が必要なくなる。よって、本実施形態に係るデッキプレートパネル１００を用いることにより、建築現場での工程数を減らすことが可能になる。
【００５９】
通常、上述したように、建築物の設計には、基準寸法（モデュール）が用いられる。このため、梁で囲まれた小グリッドの各辺の寸法は、この基準寸法に基づいた寸法を有している。そこで、本実施形態に係るデッキプレートパネル１００の幅（Ｗ）と長さ（Ｌ）の組み合わせとしては、この基準寸法に基づいた規格により、複数種類のものが用意されるようにすると良い。例えば、デッキプレートパネル１００の規格として、表１に示すような種類を用意すると良い。このように、基準寸法に基づいた規格により、複数種類の大きさのデッキプレートパネル１００を工業化製品として設計することにより、個別の住宅の設計に応じて、必要な大きさのパネルを選択して製造することが可能になる。
【００６０】
【表１】
0005755458.tif 000002
【００６１】
表１では、丸印により建物の設計や工場製造のために、予め規格化して用意するサイズを示している。例えば、表１では、３０５ｍｍ×５の列（Ｌ）においては、３０５ｍｍ×５の行（Ｗ）と３０５ｍｍ×６の行（Ｗ）に丸印が記載されているが、これにより、長さ（Ｌ）が３０５ｍｍ×５＝１５２５ｍｍであり、幅（Ｗ）が３０５ｍｍ×５＝１５２５ｍｍであるデッキプレートパネルと、長さ（Ｌ）が３０５ｍｍ×５＝１５２５ｍｍであり、幅（Ｗ）が３０５ｍｍ×６＝１８３０ｍｍであるデッキプレートパネルと、が用意されることを示している。
【００６２】
なお、一の小グリッドに２以上の上記規格のデッキプレートパネル１００を配置（分割配置）するようにしても良い。例えば、梁行き３６６０ｍｍ、梁間１８３０ｍｍの小グリッドに対しては、幅（Ｗ）が３０５ｍｍ×６＝１８３０ｍｍ、長さ（Ｌ）が３０５ｍｍ×６＝１８３０ｍｍであるデッキプレートパネル１００を２つ配置する。このようにすることで、一定の大きさ以上のデッキプレートパネル１００を搬入できないような建築現場であっても、本実施形態に係るデッキプレートパネル１００により床構造を形成することが可能になる。
【００６３】
一の小グリッドに１つのデッキプレートパネル１００を配置する際には、デッキプレート部１１０の外周の辺すべてに接続部材１２０を固着させると良い。また、小グリッドに複数のデッキプレートパネル１００を配置（分割配置）する際には、デッキプレートパネル１００のデッキプレート部１１０の梁２００に接する辺にのみ、接続部材１２０を固着させると良い。このとき、デッキプレート部１１０が凸凹（波）形状をしている場合は、上述したように、デッキプレート部１１０の短辺、つまり、凸凹（波）形状により曲げに弱い、変形を抑えられていない方向（弱軸）の辺に接続部材１２０を固着させるようにすると良い。パネルの各方向に対しても、曲げによるたわみ変形を抑えることが可能になり、デッキプレートパネル１００の運搬時、現場搬入時、設置時または設置後における変形を防ぐことが可能になる。
【００６４】
また、一の小グリッドに複数のデッキプレートパネル１００を配置（分割配置）する際には、接続部材１２０が固着していない辺においては、隣接するデッキプレートパネル１００と接続するための嵌合部１１５を設けるようにすると良い。例えば、嵌合部１１５としては、図７に示すような嵌合部１１５を用いると良い。このようにすることで、容易に、この２つのデッキプレートパネル１００の嵌合部１１５を嵌め合わせて端部同士を隙間なく接続して一体化することが可能になる。よって、このような嵌合部１１５を設けることで、デッキプレートパネル１００の上部に流し込まれたコンクリートがデッキプレートパネルの下階等に落下することを防ぐことが可能になる。
【００６５】
（デッキプレートパネル１００の角部分における加工例）
図４は、図３のＡで示した部分の拡大平面図である。図４では、デッキプレート部１１０の裏側に存在する接続部材１２０の水平部１２１を、点線によって示している。デッキプレートパネル１００の角部分に柱６００が存在しない場合は、図４のＣの部分に示すように、２つの辺にそれぞれに固着された２つの接続部材１２０が連続するように加工すると良い。これにより、グリッド隅部におけるデッキプレートパネル１００の角部分の補強をすることができ、変形を防ぐことが可能になる。
【００６６】
一方、デッキプレートパネル１００の角部分に柱６００が存在する場合は、図９に示すように、デッキプレートパネル１００の角部分の形状を、柱６００の外形（柱型）に合わせ、デッキプレート部１１０の角の一部を欠き込ませ凹んだ形状にする必要がある。図９は、図３のＢで示した部分の拡大平面図である。図９では、デッキプレート部１１０の裏側に存在する接続部材１２０の水平面部分１２１を、点線によって示している。このとき、この部分での強度不足を補うために、図９において点線で示した繋ぎ部材７００を用いて、２つの辺のそれぞれに固着された２つの接続部材１２０を繋げると良い。繋ぎ部材７００としては、柱の外形に合わせた形をした、図９に示すような鋼板や、Ｌ型の鉄筋などを用いる。これにより、デッキプレートパネル１００の角部分が凹んだ形状であるときも、角部分での変形を防ぐことが可能になる。
【００６７】
（仮組鉄筋）
コンクリートは引っ張りの外力による変形に弱い。このため、通常、コンクリートスラブによる床を形成する際には、デッキプレートなどの型枠の上に鉄筋をメッシュ状に配してから、コンクリートを流し込む。そこで、本実施形態に係るデッキプレートパネル１００は、鉄筋をメッシュ状に仮組した仮組鉄筋を備えるようにしても良い。つまり、例えば、工場において、デッキプレートパネル１００に仮組鉄筋を固定した状態に加工するようにすると良い。例えば、デッキプレート部１１０を構成する単体デッキプレート１１０Ｓまたは複合体デッキプレート１１０Ｍの表面には、コンクリートのかぶり厚さを確保する、鉄筋受け持ち部材（図示なし）を予め固定して置く。このようにすることで、建築現場において、新たに、コンクリートスラブのための鉄筋をメッシュ状に配する工程を行う必要がなくなる。つまり、建築現場での工程が減り、建築現場での施工を簡略化することが可能になる。また、建築現場における鉄筋の設置による品質のばらつきをなくすことが可能になる。
【００６８】
（第２の実施形態）
接続部材１２０の形状としては、上述したＬ型接続部材の他にもいろいろと考えられる。例えば、図１０は、本発明の第２の実施形態に係るデッキプレートパネル１００の断面を示す断面図である。なお、図１０において、梁のウェブを中心にして左側の接続部材は省略している（以下、図１１、図１２も同じ。）。第２の実施形態に係るデッキプレートパネル１００の接続部材１３０は、図５に示したようなＬ型接続部材１２０の垂直部１２２の片を、図１０に示すように、さらに折り曲げるようにした片、第２の水平部１３３を有している。つまり、第２の実施形態に係るデッキプレートパネル１００の接続部材１３０は、図１０に示すように、２箇所で折り曲げられた形状をしており、第１の水平部１３１と、垂直部１３２と、第２の水平部１３３と、からなる片を有している。そして、第１の水平部１３１において、デッキプレート部１１０と固着している。この形状の接続部材１３０は、図１０に示すように、断面形状がＺ型形状であるので、以下では、この形状の接続部材１３０をＺ型接続部材１３０と呼ぶことにする。
【００６９】
このＺ型接続部材１３０を使用する際は、例えば、図１０に示すように、第２の水平部１３３にボルト貫通孔１３４を穿つようにすると良い。このようにすることで、図１０に示すように、接続部材１３０を曲げ材として、第２の水平部１３３を梁２００のフランジ２０２に重ね、フランジ２０２の上部に配置された第２の水平部１３３に穿たれたボルト貫通孔１３４と、フランジ２０２に穿たれた梁孔２０１と、にボルト３００を挿入し、ナット４００で締めることにより、デッキプレートパネル１００を梁２００に固定することが可能になる。
【００７０】
このとき、垂直部１３２の長さが異なる複数の種類の接続部材１３０を用意するようにすると良い。デッキプレートパネル１００の上部にコンクリートを流し込むことで生成されるコンクリートスラブによる床を形成することができるが、このように複数の接続部材１３０を用意することで、コンクリートスラブによる床の厚さの設定を変更することが可能になり、設計の自由度が増すことになる。例えば、コンクリートスラブによる床を配置する高さを下げることが可能になり、配管のための空間を確保することなどが可能になる。
【００７１】
（第３の実施形態）
また、図１１は、本発明の第３の実施形態に係るデッキプレートパネル１００の断面を示す断面図である。第３の実施形態に係るデッキプレートパネル１００の接続部材１４０は、図１１に示すように、平面形状にしており、デッキプレート部１１０が固着した第１の水平部１４１と、デッキプレート部１１０が固着していない第２の水平部１４２と、の２つの片を有している。そして、第２の水平部１４２にボルト貫通孔１４３が穿たれている。このような形状の接続部材１４０は、断面形状が水平形状であるので、Ｉ型接続部材１４０と呼ぶことにする。
【００７２】
Ｉ型接続部材１４０を使用する際は、図１１に示すように、第２の水平部１４２を梁２００のフランジ２０２に重ね、フランジ２０２の上部にある第２の水平部１４２に穿たれたボルト貫通孔１４３と、フランジ２０２に穿たれた梁孔２０１と、にボルト３００を挿入し、ナット４００を締めることにより、デッキプレートパネル１００を梁２００に固定することが可能になる。
【００７３】
（第４の実施形態）
また、図１２は、本発明の第４の実施形態に係るデッキプレートパネル１００の断面を示す断面図である。第４の実施形態に係るデッキプレートパネル１００の接続部材１５０は、図１２に示すように、水平部１５１と、第１の垂直部１５２と、第２の垂直部１５３と、からなる片を有している。そして、水平部１５１において、デッキプレート部１１０と固着している。この形状の接続部材１５０は、断面形状がＴ型であるので、以下では、この形状の接続部材１５０をＴ型接続部材１５０と呼ぶことにする。
【００７４】
Ｔ型接続部材１５０を有したデッキプレート１００を梁２００に固定する際は、例えば、接続部材１５０の第１の垂直部にボルト貫通孔１５４を穿ち、梁２００のウェブ２０４に梁孔２０５を穿つ。そして、この梁孔２０５の位置に、ボルト貫通孔１５４を配置し、ボルト貫通孔１５４と梁孔２０５を貫くようにボルト３２０を挿し通し、ナット４２０で締めつけると良い。
【００７５】
また、梁２００の両側にデッキプレートパネル１００を固定する際は、図１２に示すように、両方のデッキプレートパネルの接続部材１５０に穿たれたボルト貫通孔と梁孔２０５とを貫くようにボルト３２０を挿し通し、ナットで締め付けると良い。
【００７６】
また、図１２に示すように、補強材１５５により、水平部１５１と第２の垂直部１５３とを繋げるようにすると良い。このようにすることにより、水平部１５１がデッキプレート部１１０による荷重により変形することを防ぐことが可能になる。
【００７７】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【符号の説明】
【００７８】
１００    デッキプレートパネル
１１０    デッキプレート部
１１０ａ    デッキプレート
１１０ｂ    調整用デッキプレート、
ｗ    デッキプレートの幅、
ｌ    デッキプレートの長さ
１１０Ｓ    単体デッキプレート、
１１０Ｍ    複合体デッキプレート、
Ｗ    デッキプレートパネルまたはデッキプレート部（単体デッキプレート、複合体デッキプレート）の幅
Ｌ    デッキプレートパネルまたはデッキプレート部（単体デッキプレート、複合体デッキプレート）の長さ
１１１    デッキプレート１１０ａの山の部分
１１２    デッキプレート１１０ａの谷の部分
１１３    デッキプレート１１０ａのエンクローズド部分
１１４    デッキプレート１１０ａのボルト貫通孔
１１５    嵌合部
１２０    Ｌ型接続部材
１２１    Ｌ型接続部材の水平部
１２２    Ｌ型接続部材の垂直部
１２３    Ｌ型接続部材の水平部に穿たれたボルト貫通孔
１２４    Ｌ型接続部材の垂直部に穿たれたボルト貫通孔
１３０    Ｚ型接続部材
１３１    Ｚ型接続部材の第１の水平部
１３２    Ｚ型接続部材の垂直部
１３３    Ｚ型接続部材の第２の水平部
１３４    Ｚ型接続部材の第２の水平部に穿たれたボルト貫通孔
１４０    Ｉ型接続部材
１４１    Ｉ型接続部材の第１の水平部
１４２    Ｉ型接続部材の第２の水平部
１４３    Ｉ型接続部材の第２の水平部に穿たれたボルト貫通孔
１５０    Ｔ型接続部材
１５１    Ｔ型接続部材の水平部
１５２    Ｔ型接続部材の第１の垂直部
１５３    Ｔ型接続部材の第２の垂直部
１５４    Ｔ型接続部材の第１の垂直部に穿たれたボルト貫通孔
１５５    補強材
２００    梁
２０１    梁孔
２０２    上のフランジ
２０３    下のフランジ
２０４    ウェブ
２０５    梁孔
３００    ボルト
３１０    ボルト
３２０    ボルト
４００    ナット
４１０    ナット
４２０    ナット
５００    接続板
６００    柱
７００    繋ぎ部材
【図１】
0005755458.tif 000003
【図２】
0005755458.tif 000004
【図３】
0005755458.tif 000005
【図４】
0005755458.tif 000006
【図５】
0005755458.tif 000007
【図６】
0005755458.tif 000008
【図７】
0005755458.tif 000009
【図８】
0005755458.tif 000010
【図９】
0005755458.tif 000011
【図１０】
0005755458.tif 000012
【図１１】
0005755458.tif 000013
【図１２】
0005755458.tif 000014